(57)【要約】【課題】個々のレンズの頂点部より高さの高い突起部を有するマイクロレンズの製造方法を提供する。【解決手段】基板の上にポジ型レジストを塗布し、一方、図に示すようなグレースケールマスク１を製造した。図は平面図であり、その中にレンズ対応部分２と突起部対応部分３とが形成されている。レンズ対応部分２の光透過率は１５〜４７％、突起部対応部分３の光透過率は０％、レンズとレンズの間の平坦部分に対応する部分の光透過率は４７％(レンズ部分の最大透過率と一致)である。即ち、レンズ頂点部は透過率が１５％で露光され、突起部は未露光となる。このグレースケールマスクを使用して前述のレジストを露光して現像したところ、レジストに形成されたレンズ頂点高さはレジストに形成された突起部高さより約５μm低くなった。これでも、レンズ保護の面からは十分実用になるＧＡＰである。【選択図】  図１
2008116606.tif 000002
【特許請求の範囲】
【請求項１】
以下の工程を有し、個々のレンズの頂点部高さよりも高い突起部を有するマイクロレンズの製造方法であって、使用するグレースケールマスクが、それを使用してレジストを露光・現像したときに、レジストが所定のマイクロレンズ形状となる開口率分布を持つパターンを有するグレースケールマスクであって、かつ、前記突起部を露光する部分の当該グレースケールマスクの開口率が、前記レジストを露光・現像したときに、前記突起部が前記マイクロレンズの頂点部高さよりも高くなるような開口率を有するものであることを特徴とするマイクロレンズの製造方法。
（１）基板の上にレジストを塗布する工程
（２）前記グレースケールマスクを用意する工程
（３）前記グレースケールマスクを使用して、前記レジストを露光し、その後、前記レジストを現像する工程
【請求項２】
以下の工程を有し、個々のレンズの頂点部高さよりも高い突起部を有するマイクロレンズの製造方法であって、使用するグレースケールマスクが、それを使用してレジストを露光・現像したときに、レジストが所定のマイクロレンズ形状となる開口率分布を持つパターンを有するグレースケールマスクであって、かつ、前記突起部を露光する部分の当該グレースケールマスクの開口率が、前記レジストを露光・現像したときに、前記突起部が前記マイクロレンズの頂点部高さと同じかそれよりも高くなるようなものであることを特徴とするマイクロレンズの製造方法。
（１）基板の上にレジストを塗布する工程
（２）前記グレースケールマスクを用意する工程
（３）前記突起部を露光する部分の開口率が、前記レジストを露光・現像したときに、前記突起部が、他の部分の高さより高くなるようにパターンが設けられた補助グレースケールマスクを用意する工程
（４）前記グレースケールマスクを使用して、前記レジストを露光し、その後、前記補助グレースケールマスクを使用して、前記レジストを露光するか、前記補助グレースケールマスクを使用して、前記レジストを露光し、その後、前記グレースケールマスクを使用して、前記レジストを露光するかのいずれかの工程を実施する工程
（５）前記レジストを現像する工程
【発明の詳細な説明】
【技術分野】
【０００１】
本発明は、個々のレンズの頂点部高さよりも高い突起部を有するマイクロレンズ（本明細書及び特許請求の範囲でいうマイクロレンズには、マイクロレンズアレイを含むものとする。又、マイクロレンズとしては、非球面レンズ、シリンドリカルレンズ等、通常レンズとして認められているものは勿論、フレネルレンズや回折格子等レリーフパターン等により光学的パワーを持つもの、その他、表面の形状に起因して光を透過する際に光学的パワーを有するもの一切を含むものである。）の製造方法に関するものである。
【背景技術】
【０００２】
マイクロレンズは、ディジタルカメラ、光通信、ＭＥＭＳ分野を中心に実用化され、益々使用範囲が拡大している。
【０００３】
このようなマイクロレンズの製造方法として、例えば特開平７−１９１２０９号公報（特許文献１）、特開平８−１８７７８１号公報（特許文献２）に記載されるような方法が公知となっている。これらの方法は、曲面からなるレンズ形状を、階段状の面からなる形状に近似し、基板の上にレジストを塗布し、複数枚のマスクを用いて、各階段状の面に対応した露光量でレジストを露光させ、レジストを現像することにより階段状の面からなるフォトレジストマイクロレンズを製造する方法、及びこのようにして形成されたレジストの形状を、レジストと基板とを同時にエッチングすることにより、基板に転写して、基板からなるマイクロレンズを製造する方法である。
【０００４】
また、この状態から、レジストと基板をドライエッチングしてレジストを除去すると、レジスト形状が基板に転写され、基板からなる階段状の形状を有するマイクロレンズが形成される。
【０００５】
このようなマイクロレンズと全く異なるグレースケールマスクを使用したマイクロレンズの製造方法が、特開２００５−１５８８１８号公報（特許文献３）に開示されている。これは、グレースケールマスク（アナログ的とみなせる光透過率の変化を有するマスク）を使用して基板の表面に形成されたレジストを感光させ、レジストを現像することによって、グレースケールに応じた形状の、立体的なレジストパターンを形成し、それをマイクロレンズとするか、あるいは前述のように、さらにレンズ形状となったレジストを基板と共にエッチングすることにより、レンズ形状のレジストのパターンを基板に転写し、基板からなるマイクロレンズを形成するものである。
【特許文献１】特開平７−１９１２０９号公報
【特許文献２】特開平８−１８７７８１号公報
【特許文献３】特開２００５−１５８８１８号公報
【発明の開示】
【発明が解決しようとする課題】
【０００６】
これらのマイクロレンズを他の光学基材等と組み合わせて使用する場合に、個々のマイクロレンズの頂点部が、他の光学基材等に当たり、場合によっては破損する場合がある。これを防止するためには、図３に示すように、レジスト又は基板からなる個々のマイクロレンズを保護する突起部を、レジスト又は基板で形成することが望ましい。図３において、（ａ）は平面図、（ｂ）は正面図である。図３に示すマイクロレンズアレイにおいては、基板１１の上に、個々のレンズ１２がレジストにより形成されているが、この個々のレンズ１２の頂点部より高さの高い突起部１３をレジストで形成して、個々のレンズ１２の頂点部とのあいだにＧＡＰを設けることにより、このマイクロレンズアレイを光学基材等と組み合わせて使用する場合等においても、突起部１３がこれらの光学基材等と接触することになるので、個々のレンズ１２の頂点部がこれらの光学基材等と接触することを防止できる。なお、図３において、１４は、レンズ１２間の平坦部である。
【０００７】
本発明はこのような事情に鑑みてなされたものであり、個々のレンズの頂点部より高さの高い突起部を有するマイクロレンズの製造方法を提供することを課題とする。
【課題を解決するための手段】
【０００８】
前記課題を解決するための第１の手段は、以下の工程を有し、個々のレンズの頂点部高さよりも高い突起部を有するマイクロレンズの製造方法であって、使用するグレースケールマスクが、それを使用してレジストを露光・現像したときに、レジストが所定のマイクロレンズ形状となるような開口率分布を持つパターンを有するグレースケールマスクであって、かつ、前記突起部を露光する部分の当該グレースケールマスクの開口率が、前記レジストを露光・現像したときに、前記突起部が前記マイクロレンズの頂点部高さよりも高くなるような開口率を有するものであることを特徴とするマイクロレンズの製造方法である。
【０００９】
（１）基板の上にレジストを塗布する工程
（２）前記グレースケールマスクを用意する工程
（３）前記グレースケールマスクを使用して、前記レジストを露光し、その後、前記レジストを現像する工程
【００１０】
本手段においては、マイクロレンズの製造方法の基本は、従来のグレースケールマスクを使用したものと同じであるが、使用するグレースケールマスクとして、突起部を露光する部分の当該グレースケールマスクの開口率が、前記レジストを露光・現像したときに、前記突起部が前記マイクロレンズの頂点部高さよりも高くなるような開口率を有するものを使用している。すなわち、使用するレジストがポジ型の場合は、突起部に対応する部分のグレースケールマスクの開口率は、個々のレンズの頂点部に対応するグレースケールマスクの開口率より小さく（開口率０とすることが最も簡単である）、使用するレジストがネガ型の場合は、突起部に対応する部分のグレースケールマスクの開口率は、個々のレンズの頂点部に対応するグレースケールマスクの開口率より大きくなる。これらの各部分の開口率の差は、突起部と個々のレンズの頂点部の高さのＧＡＰの設計値に合わせて決定すればよい。
【００１１】
なお、本手段のうちには、レジストでマイクロレンズパターンを形成後、ドライエッチングによりレジスト形状を基板に転写して基板からなるマイクロレンズを作る製造方法も含まれることは言うまでもない。
【００１２】
前記課題を解決するための第２の手段は、以下の工程を有し、個々のレンズの頂点部高さよりも高い突起部を有するマイクロレンズの製造方法であって、使用するグレースケールマスクが、それを使用してレジストを露光・現像したときに、レジストが所定のマイクロレンズ形状となるような開口率分布を持つパターンを有するグレースケールマスクであって、かつ、前記突起部を露光する部分の当該グレースケールマスクの開口率が、前記レジストを露光・現像したときに、前記突起部が前記マイクロレンズの頂点部高さと同じかそれよりも高くなるようなものであることを特徴とするマイクロレンズの製造方法である。
【００１３】
（１）基板の上にレジストを塗布する工程
（２）前記グレースケールマスクを用意する工程
（３）前記突起部を露光する部分の開口率が、前記レジストを露光・現像したときに、前記突起部が、他の部分の高さより高くなるようなものである補助グレースケールマスクを用意する工程
（４）前記グレースケールマスクを使用して、前記レジストを露光し、その後、前記補助グレースケールマスクを使用して、前記レジストを露光するか、前記補助グレースケールマスクを使用して、前記レジストを露光し、その後、前記グレースケールマスクを使用して、前記レジストを露光するかのいずれかの工程を実施する工程
（５）前記レジストを現像する工程
前記第１の方法では、突起部と個々のレンズの頂点部の高さのＧＡＰが、グレースケールマスクの開口率の差の制限から余り大きくできない場合がある。これに対応するために、本手段においては、前記第１の手段の工程に加えて、補助グレースケールマスクを用いた露光工程を加えている。
【００１４】
補助グレースケールマスクは、突起部を露光する部分の開口率が、前記レジストを露光・現像したときに、前記突起部が、他の部分の高さより高くなるような開口率を有するものである。すなわち、ポジ型レジストを使用する場合には、突起部に対応する部分では、他の部分に比して開口率が低く（突起部を０％とし、他の部分を１００％とすることが最も簡単である）、ネガ型レジストを使用する場合には、突起部に対応する部分では、他の部分に比して開口率が高くされている。
【００１５】
このような補助グレースケールマスクを使用しての露光を加えることにより、突起部と個々のレンズの頂点部の高さのＧＡＰを大きくすることができる。又、そのＧＡＰの大きさも、突起部に対応する部分と他の部分の開口率の差を調整したり、露光時間を変えることにより調整することができる。
【００１６】
なお、本手段のうちには、レジストでマイクロレンズパターンを形成後、ドライエッチングによりレジスト形状を基板に転写して基板からなるマイクロレンズを作る製造方法も含まれることは言うまでもない。
【発明の効果】
【００１７】
本発明によれば、個々のレンズの頂点部より高さの高い突起部を有するマイクロレンズの製造方法を提供することができる。
【実施例】
【００１８】
（実施例１）
図３に示すようなマイクロレンズアレイを製造した。個々のレンズ１２のレンズサイズはφ１８０μm、ＳＡＧは約２４μmである。このマイクロレンズアレイを製造するために、基板１１の上にポジ型レジストを塗布し、一方、図１に示すようなグレースケールマスク１を製造した。図１は平面図であり、その中にレンズ対応部分２と突起部対応部分３とが形成されている。４はレンズ間の平坦部対応部分である。
【００１９】
レンズ対応部分２の光透過率は１５〜４７％、突起部対応部分３の光透過率は０％、レンズとレンズの間の平坦部対応部分４の光透過率は４７％(レンズ部分の最大透過率と一致)である。即ち、レンズ頂点部は透過率が１５％で露光され、突起部は未露光となる。
【００２０】
このグレースケールマスクを使用して前述のレジストを露光して現像したところ、レジストに形成されたレンズ頂点高さはレジストに形成された突起部高さより約５μm低くなった。これでも、レンズ保護の面からは十分実用になるＧＡＰである。
【００２１】
このＧＡＰで不足な場合は、グレースケールマスク１のレンズ対応部分２の透過率範囲をプラス側にシフトすればよい。例えばレンズ対応部分２の透過率範囲を前記に対して＋１５％し、３０〜６２％にする。グレースケールマスク１の透過率とレジスト膜減り量がリニアーな関係にあれば、約１０μmのＧＡＰが得られることになる。グレースケールマスクの透過率とレジスト膜減り量は必ずしもリニアーではない（特に透過率が０％の付近）が、正確なＧＡＰを得るためには、事前にテストを行い、グレースケールマスクの透過率とレジスト膜減り量の関係を掴んでおけばよい。
【００２２】
（実施例２）
図３に示すようなマイクロレンズアレイを製造した。個々のレンズ１２のレンズサイズはφ３８０μm、ＳＡＧは約３μmである。このマイクロレンズアレイを製造するために、基板１１の上にポジ型レジストを塗布し、一方、図１に示すようなグレースケールマスク１を製造した。図１は平面図であり、その中にレンズ対応部分２と突起部対応部分３とが形成されている。
【００２３】
レンズ対応部分２の光透過率は２５〜４０％、突起部対応部分３の光透過率は０％、レンズとレンズの間の平坦部対応部分４の光透過率は４０％(レンズ部分の最大透過率と一致)である。即ち、レンズ頂点部は透過率が２５％で露光され、突起部は未露光となる。
【００２４】
この他に、図２に示すような補助グレースケールマスク５を用意した。この補助グレースケールマスク５においては、突起部対応部分６の光透過率は０％であり、他の部分７の光透過率はほぼ１００％である。
【００２５】
この補助グレースケールマスク５を用いて、前述のレジストを１０sec露光し、その後、グレースケールマスク１を用いて露光を行った。そして、その後、レジストを現像した。その結果、レジストに形成されたレンズ頂点高さはレジストに形成された突起部高さより約７μm低くなった。補助グレースケールマスク５を使用した露光を行わず、グレースケールマスク１のみでの露光では、レジストに形成されたレンズ頂点高さはレジストに形成された突起部高さより約２μm低くなった。すなわち、補助グレースケールマスク５を使用することにより、レジストでのレンズ頂点高さと突起部高さのＧＡＰを５μm大きくすることができた。
【００２６】
当然ながら、補助グレースケールマスク５の露光時間を増やせば、ＧＡＰをより大きくすることが可能である。実施例２のように補助グレースケールマスク５を使用して露光を行う場合、補助グレースケールマスク５を使用しない場合より多めの露光時間をかけないと、設計値に対応するレンズ形状が得られない点には注意が必要である。本例の場合は、約１．６倍のグレースケールマスク露光時間を必要とした。
【００２７】
なお、実施例２では、補助グレースケールマスク５を密着露光マスクとしたが、ステッパー用マスクとして製作し、ステッパーで均一露光してもよい。また、グレースケールマスク１の露光の前に、補助グレースケールマスク５での露光を行ったが、この逆に、グレースケールマスク１での露光の方を先に行ってもよい。
【００２８】
又、言うまでもないが、本発明の方法を用いる場合、ＧＡＰを大きくする際は、それに見合ったレジスト塗布厚にしておく必要がある。
【００２９】
実施例１、実施例２においては、いずれもレンズ形状、突起部形状をレジストにより形成したが、レジスト形状を形成した後、周知のように、基板とレジストをドライエッチングすることにより、レジスト形状を基板に転写し、基板からなるマイクレンズアレイを製造してもよい。その際には、レジストと基板のエッチングスピードの差を考慮して、レジストに形成されるレンズ形状を設定すればよい。
【図面の簡単な説明】
【００３０】
【図１】本発明の実施例に用いたグレースケールマスクの概要を示す図である。
【図２】本発明の実施例に用いた補助グレースケールマスクの概要を示す図である。
【図３】個々のマイクロレンズを保護する突起部を有するマイクロレンズアレイの例を示す図である。
【符号の説明】
【００３１】
１…グレースケールマスク、２…レンズ対応部分、３…突起部対応部分、４…平坦部対応部分、５…補助グレースケールマスク、６…突起部対応部分、７…他の部分、１１…基板、１２…レンズ、１３…突起部
【図１】
2008116606.tif 000003
【図２】
2008116606.tif 000004
【図３】
2008116606.tif 000005